(57)【要約】【解決手段】方形状の大包装袋ＬＢ内に小分けした天ぷら粉を封入した子袋ＳＢを数個内包する。方形状の大包装袋ＬＢは、方形筒状の包装袋の長手方向の両端部を熱シール或はジップファスナー等により収容物を密封する。方形状の大包装袋は、酸素透湿性性や透過性の小さいポリ塩化ビニデン等の食品包装材の内袋４とこの内袋４を封入する外袋５で構成する。この外袋５は、和紙パルプ等の食品包装材で形成し、その表部には内包物の製品名や商標名、製品の価値アッピール等の商品表示部６を設ける。外袋５の裏部には製品の最適な調理方法の説明を記載した調理説明部７を設ける。【効果】一回の天ぷら揚げ調理に全量を使い切れるため無駄を防ぐことができる。天ぷら粉は変質を来たすことがなく保存できる。【選択図】　　　　図１
0003097597.tif 000002
【実用新案登録請求の範囲】
【請求項１】
方形状の大包装袋内に小分けした天ぷら粉を封入した子袋を数個内包したことを特徴とするスティック状子袋内包の天ぷら粉包装袋。
【請求項２】
前記方形状の大包装袋は、方形筒状の包装袋の長手方向の両端部を熱シール或はジップファスナー等により収容物を密封したことを特徴とする請求項１記載のスティック状子分け袋内包の天ぷら粉包装袋。
【請求項３】
前記方形状の大包装袋は、酸素透湿性性や透過性の小さいポリ塩化ビニデン等の食品包装材の内袋とこの内袋を封入する外袋で構成し、この外袋は、和紙パルプ等の食品包装材で形成し、その表部には内包物の食品名や商標名、製品の価値アッピール等の商品表示部を設ける共に外袋の裏部には製品の最適な調理方法の説明を記載した調理説明部を設けたことを特徴とする請求項１または２記載のスティック状子分け袋内包の天ぷら粉包装袋。
【請求項４】
前記小分けした天ぷら粉を封入した子袋は、酸素透湿性の小さく、透過度の低いポリ塩化ビニデン等の食品包装材でスティック状に形成すると共に子袋内に１ないし３人最適量の天ぷら粉を前記スティック状の長手方向の両端部を熱シール等で収容封入し、子袋の外周部には和紙パルプ等の食品包装材を外包し、その表部には収容封入した製品の商品名や商標等の子袋商品表示部を設けると共にその裏部には製品の最適な調理方法説明を記載した子袋調理説明部を設けたことを特徴とする請求項１ないし３いずれか記載のスティック状小分け袋内包の天ぷら粉包装袋。
【考案の詳細な説明】
【０００１】
【考案の属する技術分野】
この考案は、家庭等で天ぷら調理に使用する天ぷら粉の封入袋に関するもので、特に小人数での天ぷら調理にあたり、必要量だけ無駄なく使いきれるスティック状小分け袋内包の天ぷら粉包装袋に関するものである。
【０００２】
【従来の技術】
従来、この種の天ぷら調理に使用する天ぷら粉の収容袋は、一回に必要とする使用量を考慮することなく、単に多量の天ぷら粉を大袋に収容して販売されていた。その為一回の調理にあたり、その使用量が少なくて良い場合でも、大袋を開封し必要量だけ取り出して使用するのであるが、一般に近時は家族形態も少人数化しその使用量も少量で済んでいる実情である。然し一度大袋を開封した使い残りの残量天ぷら粉は、その量の多少、次の使用径時にもよるが酸化による変質、吸湿等による品質低下をもたらす原因にもなっていた。
【０００３】
従って、残量の天ぷら粉については、全量使い切ることなく、しばしば残ったものを大袋ごと捨てる結果になっていた。
【０００４】
一方、特許文献１には、開封状態の容器本体に収容物を他の容器に移し替えることなく収納したまま使用できるようにしたスティック状包装容器が記載されている。
【０００５】
【特許文献１】
実用新案登録第３０２７３３６号
【０００６】
【考案が解決しようとする課題】
ところで、従来の天ぷら粉収容の大袋にあっては、収容天ぷら粉を一回の調理で全量を使い切らない場合、その残量の処置はとしては、少量のときは袋ごと捨てることになり天ぷら粉が無駄になるし、残量が再度使用できる量のときは、袋の開口部を折り曲げる等の手段で適宜封鎖して保存しておいた。
【０００７】
しかし、この保存手段では収納天ぷら粉が大気中の水分を吸収して変性したり、酸化による変質、吸湿の点で問題があった。
【０００８】
また、特許文献１に記載されたスティック状包装容器では、扁平直方体状の容器本体の長手方向稜線部に開封部を設けたものであり、無駄の無い天ぷら粉の調理使用を可能にしたものではない。
【０００９】
この考案は上記の問題点の解消を考慮して案出したものであって、現在の一般家庭等に於ける一回の天ぷら調理に使う天ぷら粉の平均的使用量をスティック状小分け袋に封入しておき、一回の調理に使い切れるようにし、併せて、このスティック状小分け袋複数個を適宜大袋に内包収容しておき、無駄の無い天ぷら粉の調理使用を可能にしたスティック状子分け袋内包の天ぷら粉包装袋を提供することを目的とする。
【００１０】
【課題を解決するための手段】
この目的を達成するため、この考案は、方形状の大包装袋内に小分けした天ぷら粉を封入した子袋を数個内包したことを特徴とする。
【００１１】
また、前記方形状の大包装袋は、方形筒状の包装袋の長手方向の両端部を熱シール或はジップファスナー等により収容物を密封したことを特徴とする。
【００１２】
さらに、前記方形状の大包装袋は、酸素透湿性性や透過性の小さいポリ塩化ビニデン等の食品包装材の内袋とこの内袋を封入する外袋で構成し、この外袋は、和紙パルプ等の食品包装材で形成し、その表部には内包物の製品名や商標名、製品の価値アッピール等の商品表示部を設ける共に外袋の裏部には製品の最適な調理方法の説明を記載した調理説明部を設けたことを特徴とする。
【００１３】
さらに、前記小分けした天ぷら粉を封入した子袋は、酸素透湿性の小さく、透過度の低いポリ塩化ビニデン等の食品包装材でスティック状に形成すると共に子袋内に１ないし２、３人最適量の天ぷら粉を前記スティック状の長手方向の両端部を熱シール等で収容封入し、子袋の外周部には和紙パルプ等の食品包装材を外包し、その表部には収容封入した製品の商品名や商標等の子袋商品表示部を設けると共にその裏部には製品の最適な調理方法説明を記載した子袋調理説明部を設けたことを特徴とする。
【００１４】
【考案の実施の形態】
以下、図面を参照してこの考案に係るスティック状子分け袋内包の天ぷら粉包装袋の一実施形態を添付図面に基き説明する。
【００１５】
第１図及び第６図に示すように、この考案に係るスティック状小分け袋内包の天ぷら粉包装袋は、方形状の大包装袋（ＬＢ）と小分けした天ぷら粉を封入した状子袋（ＳＢ）から構成する。方形状の大包装袋（ＬＢ）は、方形筒状の包装袋の長手方向の両端部（１）、（２）を熱シール或はジップファスナー（３）等の手段で互いに平行な短手方向に直線的に封止し、収容物を密封する。
【００１６】
前記方形状の大包装袋（ＬＢ）は、酸素透湿性や透過性の小さいポリ塩化ビニデン・フイルム等の食品包装材で形成した内袋（４）と、この内袋（４）を取囲んで封入する外袋（５）から構成する。この外袋（５）は、和紙パルプ等の食品包装材で形成し、その表部には内包物の食品名や商標名、製品の価値アッピール等の商品表示部（６）を設ける。
【００１７】
前記外袋（５）の裏部には食品の最適な調理方法、例えば天ぷらの上手な揚げ方の説明である水と粉の割合、その混ぜ方、油の温度、最適な一回に揚げる量等を記載表示した調理説明部（７）を設ける。
【００１８】
第２図ないし第５図に示すスティック状小袋（ＳＢ）について説明すると、このスティック状子袋（ＳＢ）は、酸素透湿性が小さく、透過度の低いポリ塩化ビニデン・フイルムやこれと同性能の素材等の食品包装材で形成する。前記スティック状子袋（ＳＢ）は、スティック状の細長い袋形に形成し、その袋内に１ないし３人に最適な量の天ぷら粉（８）を収容封入する。
【００１９】
前記スティック状子袋（ＳＢ）は、その長手方向の両端部（９）、（１０）を互いに平行な長手方向に対して略直角に交わる直線的に封止する熱シール等の手段で前記天ぷら粉（８）を収容封入してある。この子袋（ＳＢ）の外周部には和紙パルプ等の食品包装材（１１）を袋状に形成して外包し、その表部には収容封入した天ぷら粉（８）等の食品名や商標等、例えば「天秀の天ぷら粉」と記載表示した子袋商品表示部（１２）を設けてあり、その裏部には、収容封入した天ぷら粉（８）の最適な調理方法の説明、例えば天ぷらの上手な揚げ方として、水と粉の割合、水と天ぷら粉の混ぜ方、最適な温度の油に箸先で衣の落とし方の説明、最適な一回に揚げる量等を記載表示した調理説明部（１３）を設ける。
【００２０】
尚、上記実施例においては、方形状の大袋（ＬＢ）及び小分けした天ぷら粉を封入する子袋（ＳＢ）の形成素材を酸素透湿性の小さく透過度の低いポリ塩化ビニデン・フイルムや和紙パルプ等の食品包装材で形成した例を説明したが必ずしもこの素材に限定するものではなく、プラスチックフイルム等他の素材、材質を用いて形成してもよい。
【００２１】
【考案の効果】
以上説明したように、この考案に係るスティック状子分け袋内包の天ぷら粉包装袋によれば、その天ぷら揚げ調理にあたり、一回の調理に必要な天ぷら粉を、方形状の大袋内から小分けした量のてんぷら粉を収容封入した子袋から開封取り出して使用することができ、一回の天ぷら揚げ調理に全量を使い切れるため無駄を防ぐことができる。さらに、使用しない子袋内に酸化や湿化を防止できる状態で封入されている天ぷら粉は変質を来たすことがなく保存できる。その為収納天ぷら粉が大気中の水分等を吸収して変性したり、酸化による変質、吸湿も防止できる。
【００２２】
さらに、天ぷら粉を小分けして封入した数個の子袋は、スティック状に形設し、その両端部を互いに平行な短手方向に一直線に封止し、両端先端部を先端方向に鋭角状に形成してあるため、嵩張らず数個の子袋全体を小さく収容できると共に大包装袋とスティック状子袋の表裏部には、それぞれ収納食品の説明や調理方法の詳細且つ最適な説明情報を知り得て使い勝手を効果的に利用できる。
【図面の簡単な説明】
【図１】この考案の実施例に係るスティック状小分け袋内包の天ぷら粉包装袋を示す部分切欠き斜視図である。
【図２】この考案の実施例に係る方形状の大包装袋の表面図である。
【図３】この考案の実施例に係る方形状の大放送袋の裏面図である。
【図４】この考案の実施例に係るスティック状小分け子袋の表面図である。
【図５】この考案の実施例に係るスティック状小分け子袋の裏面図である。
【図６】この考案の実施例に係るスティック状小分け袋の中央横断面図である。
【符号の説明】
ＬＢ　方形状の大包装袋
ＳＢ　スティック状小分け子袋
１・２　方形状の大包装袋の両端部
４　大包装袋の内袋
５　大包装袋の外袋
６　大包装袋の商品表示部
７　大包装袋の調理説明部
８　天ぷら粉
９・１０　スティック状子袋
１２　スティック状子袋の商品表示部
１３　スティック状子袋の調理説明部
【図１】
0003097597.tif 000003
【図２】
0003097597.tif 000004
【図３】
0003097597.tif 000005
【図４】
0003097597.tif 000006
【図５】
0003097597.tif 000007
【図６】
0003097597.tif 000008